(57)【要約】【課題】  乱流が生じないフィンの必要性【解決手段】  サーフボードＳのフィンＦの前部の上端にそのサーフボード密着部１１とフィン嵌合溝１２が取り付けるアタッチメントで、乱流抑止の外壁１３が乱流を抑止する。この外壁１３の形状の正面図はその上端の両端を上記のサーフボード密着部１１に鋭角又は鋭角に近い角度を為し結合し、共にその外壁１３は肉厚形状を為しその内側に向かってカーブを描いて下降して、その下端で流線型状に結合している。その平面図はそのアタッチメント本体１０の先端部からその両側面が流線型の肉厚形状を為し、その両後端が上記の左右の内壁１２ａと１２ｂの後端に鋭角又は鋭角に近い角度を為し結合している。その側面図はその前部上端部が上記のサーフボード密着部の前部から鋭角又は鋭角に近い角度を為して結合し、その下方に内円を描くように後方の下端に伸び、その下端から後方の上端に向かって外円を描くように伸る。【選択図】  図２
2006082607.tif 000002
【特許請求の範囲】
【請求項１】
アタッチメント本体、該アタッチメント本体の上端がそのサーフボードのフィン装着部の底面に密着する形状のサーフボード密着部、上記のアタッチメント本体の内部に設けられたものであってそのフィンの前部上部にその内壁が密着嵌合するフィン嵌合溝、上記のアタッチメント本体の外側面の形状がその進行方向を正面とした正面図にて表された形状がその上端の両端を上記のサーフボード密着部に鋭角又は鋭角に近い角度を為し結合し肉厚形状を為し共にその内側に向かってカーブを描いて下降してその下端で流線型状に結合しそしてその進行方向を正面とした平面図にて表された形状がその先端部からその両側面が流線型の肉厚形状を為しその両後端が上記の内壁の後端に鋭角又は鋭角に近い角度を為し結合しさらにその進行方向を正面とした右側面図にて表された形状がその前部上端部が上記のサーフボード密着部の前部から鋭角又は鋭角に近い角度を為して結合してその下方に内円を描くように後方の下端に伸びその下端から後方の上端に向かって外円を描くように伸びておりその左側面図にて表された形状がその右側面図の裏返し形状の乱流抑止の外壁  、より構成されることを特徴としたサーフボードのフィンに生じる乱流抑止アタッチメント。
【請求項２】
アタッチメント本体、該アタッチメント本体の上端がそのサーフボードのフィン装着部の底面に密着する形状のサーフボード密着部、上記のアタッチメント本体の内部に設けられたものであってそのフィンの前部上部にその内壁が密着嵌合するフィン嵌合溝、上記のアタッチメント本体の外側面の形状がその進行方向を正面とした正面図にて表された左右側面の一方の側面の形状がその上端を上記のサーフボード密着部に鋭角又は鋭角に近い角度を為し結合し肉厚形状を為しその内側に向かってカーブを描いて下降してその下端で流線型状に他方の側面に結合し一方その左右側面の他方の側面の形状がその上端を上記のサーフボード密着部に鋭角又は鋭角に近い角度を為し結合し肉薄形状を為しその内側に向かってカーブを描いて下降してその下端で流線型状に他方の側面に結合しそしてその進行方向を正面とした平面図にて表された左右側面の一方の側面の形状がその先端部からその側面が流線型の肉厚形状を為しその後端が上記の内壁の後端に鋭角又は鋭角に近い角度を為し結合し一方その左右側面の他方の側面の形状がその先端部からその側面が流線型の肉薄形状を為しその後端が上記の内壁の後端に鋭角又は鋭角に近い角度を為し結合しさらにその進行方向を正面とした側面図にて表された形状がその前部上端部が上記のサーフボード密着部の前部から鋭角又は鋭角に近い角度を為して結合してその下方に内円を描くように後方の下端に伸びておりそしてその左右側面の一方の側面の形状はその下端から後方の上端に向かって長い外円を描くように伸びそしてその左右側面の他方の側面の形状はその下端から後方の上端に向かって短い外円を描くように伸びている乱流抑止の外壁、より構成されることを特徴としたサーフボードのフィンに生じる乱流抑止アタッチメント。
【発明の詳細な説明】
【技術分野】
【０００１】
本発明は、広くはサーフボードに関するものであり、特にこれに装着するフィンに関するものである。就中、そのフィンに生じる水流の乱流を抑制する付属具に関するものである。
【背景技術】
【０００２】
サーフボードは、波に乗る為の遊具であり、使い方は海で沖からのウネリを見つけて腹ばいにサーフボードに横たわった状態で、腕で加速して波のウネリに押されたところで立ち上がり全身もしくは波の崩れる方向に沿って滑る。時に、波のウネリによって出来た斜面を利用して上へ、下へ動かして使う。その形状は様々で波の大きさや形によって、又はウネリの斜面に対しての上下運動の作り方（大きい動き、小さい動き）によって変わってくる。しかして、全てのサーフボードには安定と加速とコントロールのためにフィンが付いている。フィンは、魚のヒレ状の形をしているもので、板状のサーフボードの海水面に接する部分の後方に付いているものである。
【０００３】
このフィンの数も様々であり、真ん中に１本のものやそれに左右に加えて３本のものが主流だが左右のみ２本のもの、また３本の左右に更に加えた５本のものなどがある。このフィンをつける目的は、安定性とウネリの斜面滑走時のコントロールである。そして、サーフボードの形状や波の楽しみ方に応じて、フィンの大きさや形を変えて楽しめる。
【０００４】
以前は、サーフボードにフィンがロービング加工（パテで盛るような形状、魚たちのヒレの根元を再現）して取り付けていたが、最近では取り外し式のものが主流になっている。その理由として、各自に合ったサーフィンをする為、旅行などの際に持ち運びに便利等により形状の違うフィンを取り替えて使用。だが現行のシステムだと、設計上フィンとボードの接着面に角が生まれ、その部分には渦巻きが起こりスムースな水の流れ、動きを阻止する力が働き、加速とターン時のコントロールの際に失速・ブレ・横滑りをおこす。その上取り外し式のフィンにロービング加工を施すとコストの面でも問題がおきる。現状はロービング加工した着脱式のフィンはない。
【０００５】
そこで今回着目した点は、サーフボードとフィンが不自然な形で取り付けられた為に起きるマイナス要因を解消し本来サーフボードとフィンの持つ特性を最大限に引き起こすものである。そこで考え出したものが、現行の取り外し式のフィンにアタッチメント式でつけるものである。このアタッチメントをつけることにより、水の妨げとなる要素を解消し最大限にスピードをつけられ、よりコントロールし易く出来るかに着目している。
【０００６】
現在サーファーのほとんどのものは、ロービング加工のしてあるフィンオンシステム（取り付け済み）での使用を望んでいるが、サーフボードの持ち運びや波に合わせたフィンに取り替え最適な状況で使用することが多いのでリムーバルシステム（取り外し可能）を使用している。
【０００７】
海岸での波乗りを楽しむためのサーフボードには、上述のごとくその進行の方向性などを制御するためのフィンがそのサーフボードの後部の底部に装着される。そして、そのフィンの形状やサイズとか枚数などが様々そのサーファーの好みやスポーツ科学の観点などから考慮されて選ばれている。
【０００８】
ところで、サーフボードのフィンは、その製造工程の簡易さとか製造コストの観点から一枚の平板を最小限の面積を使用して制作している。
【非特許文献１】Surf Style 2001   株式会社  ▲えい▼出版社  発行
【発明の開示】
【発明が解決しようとする課題】
【０００９】
しかして、水を切ってサーフボードＳなどの物体が進むときには、水の直接の抵抗ばかりか渦流等の乱流が各所で生じてその物体を、その進行方向に逆らって引き戻すかたちの渦巻き力が働き、さらにはその水平方向にも渦巻きが生じて、そのサーフボードのスムーズな操作を妨げて不安定さを与える（図１のＡとＢを参照）。これを防止するためには、その乱流が生じない形状のフィンの制作が必要である。しかし、そのフィンを最初からそのように加工する事は、上述したごとくにその制作の簡素化とかローコスト化する事は難しくなる。そこで、従来のフィンをそのまま使用して、そのフィンの渦巻き等の乱流を生じる形状の個所にその乱流を抑制する形状をしたアタッチメントを付着させる技術が考え出された（図２のＡとＢを参照）。
【課題を解決するための手段】
【００１０】
本発明にかかるサーフボードのフィンに生じる乱流抑止アタッチメントは、以上の課題を解決するために、そのフィンに水流の乱流を抑制するようにその水流の自然の流れに沿った形状のアタッチメントを装着するものとした。
【００１１】
以下に、本発明にかかるサーフボードのフィンに生じる乱流抑止アタッチメントの具体的な構成を詳細に記載する。最初に、本発明の請求項１に記載した発明の構成を説明する。この発明は、まず、アタッチメント本体がある。つぎに、サーフボード密着部がある。このサーフボード密着部は、上記のアタッチメント本体の上端がそのサーフボードのフィン装着部の底面に密着する形状のものである。そして、フィン嵌合溝がある。このフィン嵌合溝は、上記のアタッチメント本体の内部に設けられたものであって、且つそのフィンの前部上部にその内壁が密着嵌合するものである。
【００１２】
最後に、乱流抑止の外壁がある。この乱流抑止の外壁は、上記のアタッチメント本体の外側面の形状がその進行方向を正面とした正面図にて表された形状が、その上端の両端を上記のサーフボード密着部に鋭角又は鋭角に近い角度を為し結合し肉厚形状を為し共にその内側に向かってカーブを描いて下降してその下端で流線型状に結合している。
【００１３】
そして、その進行方向を正面とした平面図にて表された形状がその先端部からその両側面が流線型の肉厚形状を為しその両後端が上記の内壁の後端に鋭角又は鋭角に近い角度を為し結合している。
【００１４】
さらに、その進行方向を正面とした右側面図にて表された形状が、その前部上端部が上記のサーフボード密着部の前部から鋭角又は鋭角に近い角度を為して結合してその下方に内円を描くように後方の下端に伸びその下端から後方の上端に向かって外円を描くように伸びており、そしてその左側面図にて表された形状がその右側面図の裏返し形状のものである。
【００１５】
つぎに、本発明にかかるサーフボードのフィンに生じる乱流抑止アタッチメントの請求項２に記載した発明の構成を説明する。この発明は、まず、アタッチメント本体がある。つぎに、サーフボード密着部がある。このサーフボード密着部は、上記のアタッチメント本体の上端がそのサーフボードのフィン装着部の底面に密着する形状のものである。そして、フィン嵌合溝がある。このフィン嵌合溝は、上記のアタッチメント本体の内部に設けられたものであってそのフィンの前部上部にその内壁が密着嵌合するものである。
【００１６】
最後に、乱流抑止の外壁がある。この乱流抑止の外壁は、上記のアタッチメント本体の外側面の形状がその進行方向を正面とした正面図にて表された左右側面の一方の側面の形状が、その上端を上記のサーフボード密着部に鋭角又は鋭角に近い角度を為し結合し、肉厚形状を為し、その内側に向かってカーブを描いて下降して、その下端で流線型状に他方の側面に結合している。一方、その左右側面の他方の側面の形状が、その上端を上記のサーフボード密着部に鋭角又は鋭角に近い角度を為し結合し、肉薄形状を為しその内側に向かってカーブを描いて下降して、その下端で流線型状に他方の側面に結合している。
【００１７】
そしてその進行方向を正面とした平面図にて表された左右側面の一方の側面の形状が、その先端部からその側面が流線型の肉厚形状を為し、その後端が上記の内壁の後端に鋭角又は鋭角に近い角度を為し結合している。一方、その左右側面の他方の側面の形状が、その先端部からその側面が流線型の肉薄形状を為しその後端が上記の内壁の後端に鋭角又は鋭角に近い角度を為し結合している。
【００１８】
さらに、その進行方向を正面とした側面図にて表された形状が、その前部上端部が上記のサーフボード密着部の前部から鋭角又は鋭角に近い角度を為して結合して、その下方に内円を描くように後方の下端に伸びている。そして、その左右側面の一方の側面の形状は、その下端から後方の上端に向かって長い外円を描くように伸びている。そして、その左右側面の他方の側面の形状は、その下端から後方の上端に向かって短い外円を描くように伸びている。
【発明の効果】
【００１９】
本発明にかかるサーフボードのフィンに生じる乱流抑止アタッチメントは、以上のごとくになしたゆえに、上記の課題を解決して以下のごとき多大な効果が生じた。すなわち、サーフボードのフィンに水流の乱流抑止アタッチメントを設ける事により、そのフィンの水流の乱流を抑制することができた。
【発明を実施するための最良の形態】
【００２０】
サーフボードのフィンに生じる乱流を抑止すると言う目的を、従来のフィンの渦巻き等の乱流を生じる形状の個所にその乱流を抑制する形状をしたアタッチメントを付着させる技術が考え出された。
【実施例１】
【００２１】
以下に、本発明にかかるサーフボードのフィンに生じる乱流抑止アタッチメントをその具体的な実施例を用いて添付の図面と共に詳細に述べる。最初に、その請求項１の実施例である実施例１を述べる。まず、左右対称のアタッチメント本体１０がある。このアタッチメント本体１０は、図３に示すように、サーフボードＳのフィンＦの前部の上端に取り付けるものである。そして、この請求項１の実施例のアタッチメント本体１０は、サーフボードＳの中央のフィンＦに装着用のものである。
【００２２】
しかして、このアタッチメント本体１０には、サーフボード密着部１１がある。このサーフボード密着部１１は、上記のアタッチメント本体１０の上端がそのサーフボードＳのフィン装着部の底面に密着する形状のものである。そして、フィン嵌合溝１２がある。このフィン嵌合溝１２は、上記のアタッチメント本体１０の内部に設けられたものである。そして、そのフィンＦの前部上部にその右内壁１２ａと左内壁１２ｂが密着嵌合するものである。しかして、本実施例においては、このフィン嵌合溝１２の左右の内壁１２ａと１２ｂの形状は左右対称である。
【００２３】
最後に、乱流抑止の外壁１３がある。この乱流抑止の外壁１３の形状は、分かりやすくその進行方向を正面とした正面図と平面図と左右の側面図を持って以下に説明する。しかして、本実施例においては、この外壁１３の右外壁１３ａと左外壁１３ｂの形状は左右対称である。
【００２４】
最初に、上記のアタッチメント本体１０の外側面の形状の正面図（図４）にて表された形状であるが、これはその上端の両端を上記のサーフボード密着部１１に鋭角又は鋭角に近い角度を為し結合し、共にその外壁１３は肉厚形状を為しその内側に向かってカーブを描いて下降して、その下端で流線型状に結合している。
【００２５】
そして、その平面図（図５）（図６の底面図も参照）（これらは、図面面積の都合上４５度右に回転させ横倒しに描いた）にて表された形状であるが、これはそのアタッチメント本体１０の先端部からその両側面が流線型の肉厚形状を為し、その両後端が上記の左右の内壁１２ａと１２ｂの後端に鋭角又は鋭角に近い角度を為し結合している。
【００２６】
さらに、その進行方向を正面とした右側面図（図７）にて表された形状が、その前部上端部が上記のサーフボード密着部１１の前部から鋭角又は鋭角に近い角度を為して結合してその下方に内円を描くように後方の下端に伸びその下端から後方の上端に向かって外円を描くように伸びている。
【００２７】
最後に、その左側面図にて表された形状であるが、これはその右側面図の裏返し形状のものである（図８と図９をも参照）。なお、このアタッチメント本体１０は、図１に示すごとく、その下端から後方へのカーブを緩やかなものにして、図１の波線１０ａで示したように任意の長さに長く伸ばすこともできる。
【実施例２】
【００２８】
つぎに、本発明にかかるサーフボードのフィンに生じる乱流抑止アタッチメントの請求項２に記載した発明の実施例の構成、実施例２を説明する。この発明は、まず、左右非対称のアタッチメント本体２０（図１０）がある。この請求項２の実施例のアタッチメント本体２０は、サーフボードＳの左右側面のフィンＦに装着用のものである。なお、図１０〜図１６の実施例では左側のフィン用の物が描かれているが、右側のフィン用の実施例の場合は、これらの図を左右対称にした図にすればよい事は申すまでもない。
【００２９】
しかして、このアタッチメント本体２０には、サーフボード密着部２１がある。このサーフボード密着部２１は、上記のアタッチメント本体２０の上端がそのサーフボードＳのフィン装着部の底面に密着する形状のものである。そして、フィン嵌合溝２２がある。このフィン嵌合溝２２は、上記のアタッチメント本体２０の内部に設けられたものであってそのフィンＦの前部上部にその右内壁２２ａと左内壁２２ｂが密着嵌合するものである。しかして、本実施例においては、このフィン嵌合溝１２の左右の内壁２２ａと２２ｂの形状は左右非対称である。
【００３０】
最後に、乱流抑止の外壁２３がある。この乱流抑止の外壁２３の形状は、分かりやすくその進行方向を正面とした正面図と平面図と左右の側面図を持って以下に説明する。しかして、本実施例２においては、この外壁２３の右外壁２３ａと左外壁２３ｂの形状は左右非対称である。この乱流抑止の外壁２３は、上記のアタッチメント本体２０の外側面の形状がその進行方向を正面とした正面図（図１０）にて表された左右側面の一方の側面の形状が、その上端を上記のサーフボード密着部２１に鋭角又は鋭角に近い角度を為し結合し、肉厚形状を為し、その内側に向かってカーブを描いて下降して、その下端で流線型状に他方の側面に結合している。一方、その左右側面の他方の側面の形状が、その上端を上記のサーフボード密着部に鋭角又は鋭角に近い角度を為し結合し、肉薄形状を為しその内側に向かってカーブを描いて下降して、その下端で流線型状に他方の側面に結合している。
【００３１】
そして、その進行方向を正面とした平面図（図１１）（図１２の底面図も参照）（これらは、図面面積の都合上４５度右に回転させ横倒しに描いた）にて表された左右側面の一方の側面の形状が、これはそのアタッチメント本体２０の先端部からその側面が流線型の肉厚形状を為し、その後端が上記の左内壁２２ａの後端に鋭角又は鋭角に近い角度を為し結合している。一方、その左右側面の他方の側面の形状が、そのアタッチメント本体２０の先端部からその側面が流線型の肉薄形状を為しその後端が上記の右内壁１２ｂの後端に鋭角又は鋭角に近い角度を為し結合している。
【００３２】
さらに、その進行方向を正面とした右側面図（図１３）と左側面図（図１４）にて表された形状が、その前部上端部が上記のサーフボード密着部２１の前部から鋭角又は鋭角に近い角度を為して結合して、その下方に内円を描くように後方の下端に伸びている。そして、その左右側面の一方の側面の形状は、その下端から後方の上端に向かって長い外円を描くように伸びている。そして、その左右側面の他方の側面の形状は、その下端から後方の上端に向かって短い外円を描くように伸びている（図１５と図１６をも参照）。なお、このアタッチメント本体２０も実施例のアタッチメント本体１０と同様に、図１に示すごとく、その下端から後方へのカーブを緩やかなものにして、図１の波線１０ａで示したように任意の長さに長く伸ばすこともできる。
【産業上の利用可能性】
【００３３】
サーフボードのフィンが１枚か３枚以外に、２枚とか５枚などのものにも応用可能である。さらには、各種の形状のフィンにも対応可能である。
【図面の簡単な説明】
【００３４】
【図１】通常のサーフボードのフィンに生じる乱流の説明図であって、そのＡはその右側面図を示し、そのＢはその正面図を示したものである。
【図２】図１のものに、本発明にかかるサーフボードのフィンに生じる乱流抑止アタッチメントを設けた実施例のフィンに生じる乱流抑止効果の説明図であって、そのＡはその右側面図を示し、そのＢはその正面図を示したものである。
【図３】本発明にかかるサーフボードのフィンに生じる乱流抑止アタッチメントをフィンに設けた実施例の右側面図である。
【図４】本発明にかかるサーフボードのフィンに生じる乱流抑止アタッチメントの一実施例の正面図を示している。
【図５】図４のものの平面図を示したものである。
【図６】図４のものの底面図を示したものである。
【図７】図４のものの右側面図を示したものである。
【図８】図５のもののＡ−Ａ線断面図を示したものである。
【図９】図５のもののＢ−Ｂ線断面図を示したものである。
【図１０】本発明にかかるサーフボードのフィンに生じる乱流抑止アタッチメントの別の実施例の平面図を示している。
【図１１】図１０のものの低面図を示したものである。
【図１２】図１０のものの正面図を示したものである。
【図１３】図１０のものの右側面図を示したものである。
【図１４】図１０のものの左側面図を示したものである。
【図１５】図１０のもののＡ−Ａ線断面図を示したものである。
【図１６】図１０のもののＢ−Ｂ線断面図を示したものである。
【符号の説明】
【００３５】
１０、２０  アタッチメント本体
１１、２１  サーフボード密着部
１２・２２  フィン嵌合溝
12ａ、22ａ  右内壁
12ｂ、22ｂ  左内壁
１３、２３  外壁
13ａ・23ａ  右外壁
13ｂ、23ｂ  左外壁
Ｆ  フィン
Ｓ  サーフボード
【図１】
2006082607.tif 000003
【図２】
2006082607.tif 000004
【図３】
2006082607.tif 000005
【図４】
2006082607.tif 000006
【図５】
2006082607.tif 000007
【図６】
2006082607.tif 000008
【図７】
2006082607.tif 000009
【図８】
2006082607.tif 000010
【図９】
2006082607.tif 000011
【図１０】
2006082607.tif 000012
【図１１】
2006082607.tif 000013
【図１２】
2006082607.tif 000014
【図１３】
2006082607.tif 000015
【図１４】
2006082607.tif 000016
【図１５】
2006082607.tif 000017
【図１６】
2006082607.tif 000018